(57)【特許請求の範囲】
【請求項１】
通常時は折り畳まれており緊急時に膨張展開されるエアバッグと、該エアバッグにガスを供給するインフレータと、前記エアバッグ及び前記インフレータを固定するリテーナと、前記エアバッグを収容するエアバッグカバーと、を有するエアバッグ装置において、
前記エアバッグカバーは、車両内装面を構成する板状部と、該板状部の背面に配置されエアバッグの膨張展開路を構成するインナーケースと、を有し、前記インナーケースは、前記リテーナを保持するための複数の保持孔を有し、
前記リテーナは、前記インナーケース内に収容可能な略平板形状を有する支持体と、該支持体と前記インナーケースの壁面との隙間を低減するように前記保持孔に挿通されるとともに前記支持体に取り付けられて環状に形成される帯状体と、
を有することを特徴とするエアバッグ装置。
【請求項２】
前記帯状体は、エアバッグに使用される基布、シートベルトに使用されるウェビング、薄板状金属又は前記エアバッグの膨張展開により生じる力及び衝撃に耐え得る強度を有する繊維素材若しくは樹脂素材により構成される、ことを特徴とする請求項１に記載のエアバッグ装置。
【請求項３】
前記帯状体は、一部が前記エアバッグに接続されている、ことを特徴とする請求項１に記載のエアバッグ装置。
【請求項４】
前記保持孔は、車両の略前後方向に対峙する一対の壁面又は前記インナーケースの長手方向を構成する一対の壁面及び車両の略左右方向に対峙する一対の壁面又は前記インナーケースの短手方向を構成する一対の壁面に形成に形成されている、ことを特徴とする請求項１に記載のエアバッグ装置。
【請求項５】
前記保持孔は、前記帯状体を遊嵌状に保持可能な形状を有する、ことを特徴とする請求項１に記載のエアバッグ装置。
【請求項６】
前記インナーケースは、前記リテーナを遊嵌状に係止する係止孔を有し、前記リテーナは、前記支持体に形成されるとともに前記係止孔に係止可能なフックを有する、ことを特徴とする請求項１に記載のエアバッグ装置。
【請求項７】
前記保持孔は、車両の略前後方向に対峙する一対の壁面又は前記インナーケースの長手方向を構成する一対の壁面に形成され、前記係止孔は、車両の略左右方向に対峙する一対の壁面又は前記インナーケースの短手方向を構成する一対の壁面に形成されている、ことを特徴とする請求項５に記載のエアバッグ装置。
【請求項８】
前記帯状体は、リベットにより外側から前記支持体に固定されている、又は、ボルト及びナットにより前記支持体に固定されている、ことを特徴とする請求項１に記載のエアバッグ装置。
【請求項９】
前記エアバッグを前記インフレータの周囲に固定するバックプレートと、前記リテーナを車内構造物に接続するブラケットと、を有し、前記バックプレート及び前記ブラケットにより前記支持体及び前記帯状体を挟持してボルトで固定するようにした、ことを特徴とする請求項１に記載のエアバッグ装置。
【請求項１０】
前記エアバッグカバーは、車両のインストルメントパネルと別体に形成されて該インストルメントパネルに固定されるように構成されている、又は、車両のインストルメントパネルと一体に形成されている、ことを特徴とする請求項１に記載のエアバッグ装置。
【発明の詳細な説明】
【技術分野】
【０００１】
本発明は、エアバッグ装置に関し、特に、エアバッグ装置の軽量化を図ることができるエアバッグ装置に関する。
【背景技術】
【０００２】
自動車等の車両には、衝突時や急減速時等の緊急時にエアバッグを車内で膨張展開させて乗員に生ずる衝撃を吸収するためのエアバッグ装置が搭載されることが一般的になってきている。かかるエアバッグ装置は、一般に、通常時は折り畳まれており緊急時に膨張展開されるエアバッグと、該エアバッグにガスを供給するインフレータと、前記エアバッグ及び前記インフレータを固定するリテーナと、前記エアバッグを被覆するエアバッグカバーと、を有する。
【０００３】
そして、車両衝突時や急減速時には、前記インフレータから前記エアバッグにガスが供給されて前記エアバッグが膨張し、前記エアバッグカバーが開裂して前記エアバッグが車内に放出されて膨張展開する。特に、助手席用エアバッグ装置の場合には、インストルメントパネル、ウインドシールド（フロントガラス）及び乗員により囲まれた空間に前記エアバッグが膨張展開される。
【０００４】
ところで、前記リテーナは、エアバッグの膨張展開時又は乗員のエアバッグ衝突時における衝撃に耐え得るように金属素材により構成されることが多い（例えば、特許文献１参照）。特許文献１に記載されたエアバッグ装置では、板金製のリテーナがインストルメントパネルの一部に取付ボルトにより固定されている。
【０００５】
また、リテーナの軽量化を図るために、リテーナの一部を合成樹脂製としたものも既に提案されている（例えば、特許文献２参照）。特許文献２に記載されたエアバッグ装置では、インフレータを保持するリテーナロワーを金属製とし、エアバッグを保持するリテーナアッパーを合成樹脂製としている。リテーナロワーはボルトによりリテーナアッパーに固定され、リテーナアッパーは突起をエアバッグカバー（リッド）に嵌合することにより固定されている。かかる構成により、リテーナアッパーで軽量化を図り、リテーナロワーで衝撃を吸収するようにしている。
【０００６】
上述したように、リテーナは、インストルメントパネルやエアバッグカバーに対して、リベットやボルト等の締結具により固定されたり、突起を嵌合させることにより固定されたりして位置決めされることが多かったが、近年では、特許文献３に記載されたように、リテーナに配置されたフックをエアバッグカバー（リッド）に形成された開口部に相対移動可能に係合させることによって、リテーナをフローティング状に位置決めするものが増加している。かかる構成により、エアバッグの衝撃を緩和するとともに、組付作業性を向上させている。
【先行技術文献】
【特許文献】
【０００７】
【特許文献１】特開２００１−９７１６２号公報
【特許文献２】特開２０００−３２６８１３号公報
【特許文献３】特許第３８２２５７８号公報
【発明の概要】
【発明が解決しようとする課題】
【０００８】
上述したリテーナは、上部が開口した矩形の箱型形状を有し、底部にインフレータ及びエアバッグが固定されている。したがって、エアバッグの膨張展開時には、インフレータからガスが供給されたエアバッグは、リテーナの底部側から膨張展開し、リテーナの側壁部を押圧することとなる。その結果、リテーナ上部の開口部が略円形に変形してしまう。また、エアバッグカバー（リッド）は、一般に、合成樹脂により成形されており、エアバッグの膨張圧力によって変形しやすい。したがって、リテーナがエアバッグカバーに接続されている場合には、エアバッグカバーの変形に伴ってリテーナ上部の開口部が略円形に変形してしまう。
【０００９】
一般に、この変形を「フィッシュマウス現象」と称し、リテーナの設計においては、フィッシュマウス現象対策が必要となる。従来の金属製のリテーナでは、フィッシュマウス現象対策として、板厚を厚くしたり、補強部材を追加したり、溶接点数を増加したりして、リテーナの強度や剛性を高めていた。しかしながら、かかるフィッシュマウス現象対策は、リテーナの重量を増加させることとなり、エアバッグ装置の軽量化を阻害するという問題があった。
【００１０】
また、軽量化のために、樹脂製や曲げ・絞り加工のみの金属製のリテーナを採用することも検討されているが、フィッシュマウス対策を考慮した場合、これらのリテーナでは強度不足となり、実用化が困難であるという問題があった。
【００１１】
本発明はかかる問題点に鑑み創案されたものであり、フィッシュマウス現象を防止することができるとともに、リテーナの軽量化を図ることができるエアバッグ装置を提供することを目的とする。
【課題を解決するための手段】
【００１２】
本発明によれば、通常時は折り畳まれており緊急時に膨張展開されるエアバッグと、該エアバッグにガスを供給するインフレータと、前記エアバッグ及び前記インフレータを固定するリテーナと、前記エアバッグを収容するエアバッグカバーと、を有するエアバッグ装置において、前記エアバッグカバーは、車両内装面を構成する板状部と、該板状部の背面に配置されエアバッグの膨張展開路を構成するインナーケースと、を有し、前記インナーケースは、前記リテーナを保持するための複数の保持孔を有し、前記リテーナは、前記インナーケース内に収容可能な略平板形状を有する支持体と、該支持体と前記インナーケースの壁面との隙間を低減するように前記保持孔に挿通されるとともに前記支持体に取り付けられて環状に形成される帯状体と、を有することを特徴とするエアバッグ装置が提供される。
【００１３】
前記帯状体は、例えば、エアバッグに使用される基布、シートベルトに使用されるウェビング、薄板状金属又は前記エアバッグの膨張展開により生じる力及び衝撃に耐え得る強度を有する繊維素材若しくは樹脂素材により構成される。また、前記帯状体は、一部が前記エアバッグに接続されていてもよい。
【００１４】
前記保持孔は、車両の略前後方向に対峙する一対の壁面又は前記インナーケースの長手方向を構成する一対の壁面及び車両の略左右方向に対峙する一対の壁面又は前記インナーケースの短手方向を構成する一対の壁面に形成に形成されていてもよい。また、前記保持孔は、前記帯状体を遊嵌状に保持可能な形状を有していてもよい。
【００１５】
前記インナーケースは、前記リテーナを遊嵌状に係止する係止孔を有し、前記リテーナは、前記支持体に形成されるとともに前記係止孔に係止可能なフックを有していてもよい。また、前記保持孔は、車両の略前後方向に対峙する一対の壁面又は前記インナーケースの長手方向を構成する一対の壁面に形成され、前記係止孔は、車両の略左右方向に対峙する一対の壁面又は前記インナーケースの短手方向を構成する一対の壁面に形成されていてもよい。
【００１６】
前記帯状体は、リベットにより外側から前記支持体に固定されていてもよいし、ボルト及びナットにより前記支持体に固定されていてもよい。また、前記エアバッグを前記インフレータの周囲に固定するバックプレートと、前記リテーナを車内構造物に接続するブラケットと、を有し、前記バックプレート及び前記ブラケットにより前記支持体及び前記帯状体を挟持してボルトで固定するようにしてもよい。
【００１７】
前記エアバッグカバーは、車両のインストルメントパネルと別体に形成されて該インストルメントパネルに固定されるように構成されていてもよいし、車両のインストルメントパネルと一体に形成されていてもよい。
【発明の効果】
【００１８】
上述した本発明に係るエアバッグ装置によれば、リテーナを平板形状に形成したことにより、フィッシュマウス現象の原因となるリテーナ側壁部が存在せず、フィッシュマウス現象の発生を防止することができる。また、リテーナとエアバッグカバー（インナーケース）との係合手段として帯状体を使用したことにより、リテーナを平板形状に形成した場合であっても、リテーナとエアバッグカバー（インナーケース）とを容易に接続することができる。また、リテーナは、側壁部を有しておらず、インフレータや帯状体の取り付けに必要な最低限の面積を有していればよいことから、リテーナの軽量化を図ることができ、エアバッグ装置の軽量化を図ることができる。
【００１９】
また、帯状体を基布、ウェビング等の所定の素材により構成することにより、エアバッグの膨張展開により生じる力及び衝撃に耐え得る強度を有する帯状体を容易に形成することができる。
【００２０】
また、帯状体の一部をエアバッグに接続することにより、エアバッグ装置の製造時にエアバッグと帯状体とを一部品として取り扱うことができ、支持体への固定作業を容易に処理することができる。
【００２１】
また、保持孔を車両の前後左右方向の壁面に形成し、リテーナとエアバッグカバー（インナーケース）との間に帯状体を掛け渡すことにより、帯状体の幅分だけ各壁面におけるリテーナとエアバッグカバー（インナーケース）との隙間を低減することができ、エアバッグの膨張展開時におけるエアバッグの外部へのはみ出しを抑制することができる。
【００２２】
また、保持孔が帯状体を遊嵌可能に形成することにより、特に、帯状体の肉厚方向に遊びを形成することにより、帯状体（すなわち、リテーナ）をエアバッグの膨張展開方向に移動させることができ、エアバッグの膨張展開時における衝撃を緩和することができる。
【００２３】
また、インナーケースに係止可能なフックを支持体に形成することにより、エアバッグ装置の製造時に支持体をインナーケースに係止させておくことができ、作業性を向上させることができる。
【００２４】
また、インナーケースの長手方向（車両の前後方向）を帯状体で連結し、インナーケースの短手方向（車両の左右方向）をフックで連結することにより、帯状体の本数を低減することができるとともに、エアバッグ装置の製造時に支持体をインナーケースに係止させておくことができ、作業性を向上させることができる。
【００２５】
また、帯状体と支持体との固定手段にリベット留めを採用することにより、リテーナの外部から容易に帯状体を取り付けることができる。また、帯状体と支持体との固定手段にボルト留めを採用することにより、容易に強固に取り付けることができるとともに、着脱可能に取り付けることができ、組み直しや分解を容易に行うことができる。
【００２６】
また、バックプレートとブラケットとにより支持体及び帯状体を挟持することにより、リテーナが樹脂製の場合であっても、所定の締結力に耐え得る構造を形成することができ、ボルトを使用してこれらの部品を容易に固定することができる。
【００２７】
また、エアバッグカバーをインストルメントパネルに対して嵌め込み型又は一体型とすることにより、エアバッグ装置の種々の形式に応じて本発明に係るエアバッグ装置を容易に適用することができる。
【図面の簡単な説明】
【００２８】
【図１】本発明の第一実施形態に係るエアバッグ装置を示す図であり、（Ａ）は水平断面図、（Ｂ）は下面図、（Ｃ）はリテーナの平面図、である。
【図２】図１（Ａ）におけるＩＩ−ＩＩ矢視断面図である。
【図３】帯状体とエアバッグとの接続方法を示す平面図であり、（Ａ）は第一例、（Ｂ）は第二例、（Ｃ）は第三例、を示している。
【図４】本発明の第二実施形態に係るエアバッグ装置を示す図であり、（Ａ）は水平断面図、（Ｂ）は下面図、（Ｃ）は図４（Ａ）における支持体のＣ−Ｃ断面図、である。
【図５】図４（Ａ）におけるＶ矢視図である。
【図６】本発明の第三実施形態に係るエアバッグ装置を示す図であり、（Ａ）は水平断面図、（Ｂ）は下面図、（Ｃ）は図６（Ａ）における支持体のＣ−Ｃ断面図、である。
【図７】本発明の第四実施形態に係るエアバッグ装置を示す図であり、（Ａ）は水平断面図、（Ｂ）は下面図、を示している。
【図８】本発明の第五実施形態に係るエアバッグ装置を示す図であり、（Ａ）は下面図、（Ｂ）は図８（Ａ）におけるＢ−Ｂ矢視断面図、を示している。
【図９】支持体の変形例を示す平面図であり、（Ａ）は第一変形例、（Ｂ）は第二変形例、（Ｃ）は第三変形例、（Ｄ）は第四変形例、を示している。
【発明を実施するための形態】
【００２９】
以下、本発明に係るエアバッグ装置１の実施形態について、図１〜図９を用いて説明する。ここで、図１は、本発明の第一実施形態に係るエアバッグ装置を示す図であり、（Ａ）は水平断面図、（Ｂ）は下面図、（Ｃ）はリテーナの平面図、である。図２は、図１（Ａ）におけるＩＩ−ＩＩ矢視断面図である。図３は、帯状体とエアバッグとの接続方法を示す平面図であり、（Ａ）は第一例、（Ｂ）は第二例、（Ｃ）は第三例、を示している。なお、図１（Ａ）における水平断面図は、図２におけるＡ−Ａ矢視断面図に相当し、図１（Ｂ）における下面図は、図２におけるＢ矢視図に相当する。また、図１（Ａ）及び（Ｂ）において、エアバッグ２の図は省略してある。
【００３０】
本発明の第一実施形態に係るエアバッグ装置１は、図１〜図３に示したように、通常時は折り畳まれており緊急時に膨張展開されるエアバッグ２と、エアバッグ２にガスを供給するインフレータ３と、エアバッグ２及びインフレータ３を固定するリテーナ４と、エアバッグ２を収容するエアバッグカバー５と、を有し、エアバッグカバー５は、車両内装面を構成する板状部５１と、板状部５１の背面に配置されエアバッグ２の膨張展開路を構成するインナーケース５２と、を有し、インナーケース５２は、リテーナ４を保持するための複数の保持孔５３を有し、リテーナ４は、インナーケース５２内に収容可能な略平板形状を有する支持体４１と、保持孔５３に挿通されるとともに支持体４１に取り付けられて環状（輪状又はループ状であってもよい）に形成される帯状体４２と、を有する。
【００３１】
前記エアバッグ装置１は、助手席用エアバッグ装置であり、助手席の前面に配置されているインストルメントパネル（図示せず）に装着される。したがって、エアバッグカバー５（板状部５１）の表面はインストルメントパネルの一部を形成し、車両内装面の一部を構成する。なお、図２において、右側は背面（ウインドシールド側）を示し、左側は正面（乗員側）を示している。
【００３２】
前記インフレータ３は、エアバッグ２に供給されるガスを発生させるガス発生器であり、例えば、略円板形状の外形をなしている。インフレータ３は、リテーナ４を構成する支持体４１の略中央部に形成された開口部に嵌め込まれ、フランジ部３１とバックプレート３２とにより支持体４１を挟持し、ボルト等の締結具３３によりリテーナ４に固定される。ここでは、ディスク型のインフレータ３の場合を図示しているが、略円柱形状の外形をなしたシリンダ型のものを使用してもよい。
【００３３】
インフレータ３は、図示しないＥＣＵ（電子制御ユニット）に接続されており、加速度センサ等の計測値に基づいて制御される。ＥＣＵが車両の衝突や急減速を感知又は予測すると、インフレータ３はＥＣＵからの点火電流により点火され、インフレータ３の内部に格納された薬剤を燃焼させてガスを発生させ、エアバッグ２にガスを供給する。
【００３４】
前記エアバッグ２は、バックプレート３２とリテーナ４を構成する支持体４１との間に挟持され、締結具３３によりリテーナ４に固定される。図２に一点鎖線で示したように、エアバッグ２は、通常時は折り畳まれた状態でリテーナ４に固定されている。なお、エアバッグ２の折り畳み状態を保持するために、折り畳まれたエアバッグ２を包むラッピングクロス（図示せず）を配置するようにしてもよい。
【００３５】
前記エアバッグカバー５は、図２に示したように、板状部５１とインナーケース５２とを一体に成型したものである。板状部５１及びインナーケース５２は、射出成形により一体に成型されてもよいし、板状部５１の背面にインナーケース５２を溶着することにより一体に構成するようにしてもよい。なお、エアバッグカバー５の構造及び形状は、図示したものに限定されず、例えば、板状部５１に対して略垂直にインナーケース５２が配置されているもの等、従来から使用されているものを適宜使用することができる。
【００３６】
板状部５１は、例えば、インストルメントパネル等の車両内装面の一部を構成する部材である。板状部５１のインナーケース５２の内側に位置する領域には、エアバッグ２の膨張展開時に開裂させたい形状に合わせて、薄肉に形成されたテアライン５１ａが形成されている。テアライン５１ａは、例えば、略Ｈ字形状に形成され、板状部５１は、一対の扉部５１ｂに開裂し、ヒンジ部５４を中心に観音開きする。なお、テアライン５１ａは、例えば、一枚の扉部が片開きとなるように略コ字状に形成してもよい。
【００３７】
また、エアバッグカバー５は、車両のインストルメントパネル（図示せず）と別体に形成されてインストルメントパネルに固定されるように構成されていてもよいし、車両のインストルメントパネルと一体に形成されていてもよい。エアバッグカバー５をインストルメントパネルに対して嵌め込み型とした場合には、板状部５１の外周は、インストルメントパネルの開口部の縁に形成された凹部に装着可能に形成されるとともに、インストルメントパネルに固定するためのピンや係合片が配置される。また、エアバッグカバー５をインストルメントパネルに対して一体型とした場合には、板状部５１がインストルメントパネルを構成することとなる。このように、エアバッグカバー５を嵌め込み型又は一体型とすることにより、種々のエアバッグ装置の形式に対応することができる。
【００３８】
インナーケース５２は、板状部５１の背面に矩形に立設された筒状の壁面により構成されている。具体的には、インナーケース５２は、車両の略前後方向に対峙する一対の第一壁面５２ａと、車両の略左右方向に対峙する一対の第二壁面５２ｂと、を有する。一般に、第一壁面５２ａは、インナーケース５２の長手方向を構成する一対の壁面であり、第二壁面５２ｂは、インナーケース５２の短手方向を構成する一対の壁面である。
【００３９】
ヒンジ部５４は、板状部５１とインナーケース５２との連接部により構成され、図１に示したように、例えば、インナーケース５２の一部を薄肉に形成した部分により構成される。なお、インナーケース５２を板状部５１に溶着し、扉部５１ｂを板状部５１から分離させて展開させる場合には、インナーケース５２の溶着部分に形成された略Ｕ字形状部によりヒンジ部を構成するようにしてもよい。
【００４０】
インナーケース５２は、図１（Ａ）に示したように、リテーナ４を保持するための複数の保持孔５３を有する。インナーケース５２を構成する一対の第一壁面５２ａには、例えば、二つずつの保持孔５３が形成される。また、インナーケース５２を構成する第一対の第二壁面５２ｂには、例えば、一つずつの保持孔５３が形成される。すなわち、保持孔５３は、車両の略前後方向に対峙する又はインナーケース５２の長手方向を構成する一対の第一壁面５２ａ及び車両の略左右方向に対峙する又はインナーケース５２の短手方向を構成する一対の第二壁面５２ｂに形成されている。
【００４１】
保持孔５３は、挿通される帯状体４２の形状に合わせて、例えば、左右方向長孔に形成される。また、保持孔５３は、図２に示したように、帯状体４２を遊嵌状に保持可能な形状を有する。具体的には、保持孔５３は、帯状体４２の肉厚方向に遊びを有する。この遊びを形成することにより、帯状体４２（すなわち、リテーナ４）をエアバッグ２の膨張展開方向に移動させることができ、エアバッグ２の膨張展開時における衝撃を緩和することができる。
【００４２】
前記リテーナ４は、図１及び図２に示したように、略平板形状の支持体４１と、保持孔５３に連結される帯状体４２と、を有する。支持体４１は、例えば、図１（Ａ）〜（Ｃ）に示したように、インナーケース５２の開口部内に収容可能な面積を有する多角形（図では六角形）により構成されており、中央部にインフレータ３を挿通するインフレータ用開口部４１ａと、インフレータ用開口部４１ａの外周に形成されたインフレータ３を固定するインフレータ用固定孔４１ｂと、両端部に形成された帯状体４２を固定する帯状体用固定孔４１ｃと、を有する。これらのインフレータ用開口部４１ａ、インフレータ用固定孔４１ｂ及び帯状体用固定孔４１ｃを形成することができ、面積を極力小さくすることができ、容易に成形することができること等を考慮すれば、支持体４１は、図示したような六角形に形成することができる。なお、支持体４１は、金属製であってもよいし、樹脂製であってもよいが、軽量化のためには樹脂製とする方が好ましい。
【００４３】
支持体４１の略中央部は、内側から順に、バックプレート３２、エアバッグ２、支持体４１及びインフレータ３のフランジ部３１が積層され、締結具３３により連結される。また、支持体４１の略両端部は、図２に示したように、内側から順に、帯状体４２、支持体４１及び帯状体４２が積層され、リベット４３により連結される。すなわち、帯状体４２は、リベット４３により外側から支持体４１に固定されている。なお、支持体４１が、エアバッグ２の膨張展開により生じる力及び衝撃に耐え得る強度を有する場合には、リベット４３に替えてボルト・ナットにより帯状体４２を支持体４１に固定するようにしてもよい。固定手段にボルト留めを採用することにより、容易に強固に取り付けることができるとともに、着脱可能に取り付けることができ、組み直しや分解を容易に行うことができる。
【００４４】
帯状体４２は、図１（Ａ）に示したように、二本の腕部４２ａ及び一本の脚部４２ｂを備えた略Ｔ字形状を有し、腕部４２ａ及び脚部４２ｂが帯状に形成されている。ただし、かかる構成は単なる一例であり、支持体４１の形状、保持孔５３の配置、帯状体４２の強度等の条件によって適宜変更できるものである。腕部４２ａは、第一壁面５２ａに形成された保持孔５３に挿通され、脚部４２ｂは、第二壁面５２ｂに形成された保持孔５３に挿通されるように配置されている。このように帯状体４２を第一壁面５２ａ及び第二壁面５２ｂに連結することにより、第一壁面５２ａ及び第二壁面５２ｂにおけるリテーナ４とエアバッグカバー５（インナーケース５２）との隙間を低減することができ、エアバッグ２の膨張展開時におけるエアバッグ２の外部へのはみ出しを抑制することができる。
【００４５】
また、図３（Ａ）に示したように、腕部４２ａ及び脚部４２ｂの端部には、固定用孔４２ｃが形成されている。腕部４２ａ及び脚部４２ｂの端部は、保持孔５３に挿通された後、各固定用孔４２ｃが支持体４１の帯状体用固定孔４１ｃと一致するように重ね合わされて、リベット４３により連結される。かかる処理により、帯状体４２は、保持孔５３に挿通された環状部を構成し、支持体４１をインナーケース５２（エアバッグカバー５）に保持させる。なお、固定手段にボルト留めを採用した場合には、腕部４２ａ及び脚部４２ｂの集結部にボルト挿通孔を予め形成しておいてもよい。
【００４６】
帯状体４２は、例えば、エアバッグ２に使用される基布、シートベルトに使用されるウェビング、薄板状金属又はエアバッグ２の膨張展開により生じる力及び衝撃に耐え得る強度を有する繊維素材若しくは樹脂素材により構成される。すなわち、帯状体４２は、環状に形成できる程度の柔軟性を有し、エアバッグ２の膨張展開により生じる力及び衝撃に耐え得る強度を有する。一般に、エアバッグ２に使用される基布やシートベルトに使用されるウェビングであれば、これらの条件を容易に満足し、入手が容易である。これらの基布やウェビング等の織物や繊維素材に場合には、複数枚を重ねて一枚の帯状体４２を形成するようにしてもよい。
【００４７】
特に、帯状体４２は、乗員の目に触れるものではないことに鑑みれば、エアバッグやシートベルト装置の製造過程において発生した基布やウェビングの切れ端や不良品（例えば、見栄えが悪いもの、端部が解れているもの等）を流用することができ、廃棄物の発生量を低減することもできる。
【００４８】
また、リテーナ４（支持体４１）の背面には、図１（Ｂ）及び図２に示したように、リテーナ４を車内構造物６に固定するためのブラケット６１が装着される。なお、図１（Ｂ）において、説明の便宜上、ブラケット６１は一点鎖線で表示している。ブラケット６１は、図１（Ｂ）に示したように、インフレータ３の固定部と一緒に締結具３３により、リテーナ４に固定される。このとき、例えば、ブラケット６１に近い側におけるインフレータ３の固定部の二つを利用することにより、ブラケット６１を固定しつつブラケット６１の計量化を図ることができる。
【００４９】
なお、ブラケット６１は、図示された構造及び形状に限定されるものではなく、リテーナ４の大きさ、素材、接続される車内構造物６との位置関係等の条件によって適宜変更されるものである。例えば、ブラケット６１を略Ｕ字形状やインフレータ３の外周に配置されるような環状に形成することにより、インフレータ３の固定部の全て（四つ）を利用するようにしてもよい。かかる構成により、車内構造物６とリテーナ４との結合を安定させることができる。
【００５０】
また、帯状体４２は、図３（Ａ）に示したように、予めエアバッグ２に縫合しておいてもよい。図３（Ａ）〜（Ｃ）の各図において、エアバッグ２は基端部の一部のみを図示している。エアバッグ２の基端部には、一般に、インフレータ３を挿通するインフレータ用開口部２ａと、インフレータ用開口部２ａの外周に形成されたインフレータ３を固定するインフレータ用固定孔２ｂと、が形成されている。このエアバッグ２の基端部には、帯状体４２が縫合部４２ｄにより接続されている。帯状体４２の集結部には、リベット４３の端部が配置されるため、リベット４３を避けるように縫合部４２ｄを形成する必要がある。ここでは、帯状体４２の集結部で縫合するようにしているが、腕部４２ａ及び脚部４２ｂごとにエアバッグ２に縫合するようにしてもよい。
【００５１】
このように、帯状体４２の一部をエアバッグ２に接続することにより、エアバッグ装置１の製造時にエアバッグ２と帯状体４２とを一部品として取り扱うことができ、支持体４１への固定作業を容易に処理することができる。かかる第一例では、内側から順に、エアバッグ２、帯状体４２、支持体４１及び帯状体４２が積層され、リベット４３により連結されることとなる。
【００５２】
図３（Ｂ）に示した第二例は、帯状体４２をエアバッグ２に接着剤４２ｅにより接合したものである。例えば、帯状体４２をエアバッグ２と同じ基布により形成した場合には、密着性が良好であるため、接着剤４２ｅでも十分な保持力を発揮する。勿論、帯状体４２は、必ずしも基布である必要はなく、ウェビング等の織物や布等の繊維素材であっても接着剤４２ｅにより接続することができる。
【００５３】
図３（Ｃ）に示した第三例は、腕部４２ａと脚部４２ｂとを別部品により構成したものである。この場合、腕部４２ａ及び脚部４２ｂの両方をエアバッグ２に接続する必要があるため、腕部４２ａと脚部４２ｂとを重ねた状態にして、縫合部４２ｆにより腕部４２ａと脚部４２ｂとの接続及びこれらのエアバッグ２への接続を同時に処理している。勿論、第二例のように、腕部４２ａとエアバッグ２との接続及び腕部４２ａと脚部４２ｂとの接続を接着剤で処理するようにしてもよい。
【００５４】
上述した第一実施形態に係るエアバッグ装置１によれば、リテーナ４を平板形状に形成したことにより、フィッシュマウス現象の原因となるリテーナ側壁部が存在せず、フィッシュマウス現象の発生を防止することができる。また、リテーナ４とエアバッグカバー５（インナーケース５２）との係合手段として帯状体４２を使用したことにより、リテーナ４を平板形状に形成した場合であっても、リテーナ４とエアバッグカバー５（インナーケース５２）とを容易に接続することができる。また、リテーナ４は、側壁部を有しておらず、インフレータ３や帯状体４２の取り付けに必要な最低限の面積を有していればよいことから、リテーナ４の軽量化を図ることができ、エアバッグ装置１の軽量化を図ることができる。
【００５５】
次に、本発明の第二実施形態に係るエアバッグ装置１について、図４及び図５を参照しつつ説明する。ここで、図４は、本発明の第二実施形態に係るエアバッグ装置を示す図であり、（Ａ）は水平断面図、（Ｂ）は下面図、（Ｃ）は図４（Ａ）における支持体のＣ−Ｃ断面図、である。図５は、図４（Ａ）におけるＶ矢視図である。なお、第一実施形態のエアバッグ装置１と同じ構成部品については、同じ符号を付して重複した説明を省略する。
【００５６】
図４及び図５に示した第二実施形態は、インナーケース５２がリテーナ４を遊嵌状に係止する係止孔５５を有し、リテーナ４が支持体４１に形成されるとともに係止孔５５に係止可能なフック４４を有するものである。かかる係止孔５５及びフック４４を形成することにより、リテーナ４のエアバッグカバー５への接続時に、リテーナ４（支持体４１）を係止孔５５に係止させておくことができ、帯状体４２の挿通やリベット４３の固定等の作業を処理し易くすることができ、作業性を向上させることができる。
【００５７】
フック４４は、図４（Ａ）〜（Ｃ）に示したように、支持体４１の車両前後方向の端部に立設された一対の板状部材を、先端を外側に向かって湾曲させた略逆Ｊ字形状を有している。このフック４４は、エアバッグ２の膨張展開時における荷重を保持する部分ではないので、従来の係合フックよりも強度的に弱い構成にすることができ、軽量化を図ることができる。
【００５８】
係止孔５５は、図５に示したように、フック４４の形成された位置及び高さに応じた位置に形成される。ここでは、フック４４が、車両前後方向の端部に形成されていることから、係止孔５５は第一壁面５２ａに形成されている。係止孔５５はフック４４の個数に応じて形成される。また、係止孔５５は、フック４４の肉厚方向に遊びを有する。係止孔５５の遊びは、例えば、保持孔５３の遊びと同等以上の大きさに形成される。かかる遊びを形成することにより、フック４４をエアバッグ２の膨張展開方向に移動させることができ、帯状体４２及び支持体４１によるフローティング機能を阻害しないようにすることができる。
【００５９】
次に、本発明の第三実施形態に係るエアバッグ装置１について、図６を参照しつつ説明する。ここで、図６は、本発明の第三実施形態に係るエアバッグ装置を示す図であり、（Ａ）は水平断面図、（Ｂ）は下面図、（Ｃ）は図６（Ａ）における支持体のＣ−Ｃ断面図、である。なお、第一実施形態のエアバッグ装置１と同じ構成部品については、同じ符号を付して重複した説明を省略する。
【００６０】
図６（Ａ）〜（Ｃ）に示した第三実施形態は、保持孔５３が車両の略前後方向に対峙する一対の第一壁面５２ａ（インナーケース５２の長手方向を構成する一対の壁面）に形成され、係止孔５５が車両の略左右方向に対峙する一対の第二壁面５２ｂ（インナーケース５２の短手方向を構成する一対の壁面）に形成されたものである。かかる構成によれば、車両の前後方向（インナーケース５２の長手方向）を帯状体４２で連結し、車両の左右方向（インナーケース５２の短手方向）をフック４４で連結することにより、帯状体４２の本数を低減することができるとともに、エアバッグ装置１の製造時に支持体４１をインナーケース５２に係止させておくことができ、作業性を向上させることができる。
【００６１】
第三実施形態において、フック４４は、支持体４１の車両左右方向の端部に立設された一対の板状部材を、先端を外側に向かって湾曲させた略逆Ｊ字形状を有している。また、フック４４は、支持体４１をインナーケース５２に係止させるだけでなく、車両の左右方向（インナーケース５２の短手方向）におけるリテーナ４とインナーケース５２との隙間を低減し、エアバッグ２の膨張展開時におけるエアバッグ２のはみ出しを抑制する機能も有するため、一定の強度を必要とする。
【００６２】
なお、図示しないが、車両の前後方向（インナーケース５２の長手方向）をフック４４で連結し、車両の左右方向（インナーケース５２の短手方向）を帯状体４２で連結するようにしてもよい。
【００６３】
次に、本発明の第四実施形態に係るエアバッグ装置１について、図７を参照しつつ説明する。ここで、図７は、本発明の第四実施形態に係るエアバッグ装置を示す図であり、（Ａ）は水平断面図、（Ｂ）は下面図、を示している。なお、第一実施形態のエアバッグ装置１と同じ構成部品については、同じ符号を付して重複した説明を省略する。
【００６４】
図７（Ａ）及び（Ｂ）に示した第四実施形態は、エアバッグ２をインフレータ３の周囲に固定するバックプレート３２と、リテーナ４を車内構造物６に接続するブラケット６１と、を有し、バックプレート３２及びブラケット６１により支持体４１及び帯状体４２を挟持してボルト４５で固定するようにしたものである。なお、図７（Ｂ）において、説明の便宜上、ブラケット６１は一点鎖線で表示している。
【００６５】
バックプレート３２は、図７（Ａ）に示したように、支持体４１と略相似形状の多角形を有し、両端部には、支持体４１の帯状体用固定孔４１ｃと一致する帯状体用固定孔が形成されている。また、ブラケット６１は、図７（Ｂ）に示したように、インナーケース５２の長手方向に沿って拡張された一対の拡張部６１ａを有し、拡張部６１ａには、支持体４１の帯状体用固定孔４１ｃと一致する帯状体用固定孔が形成されている。
【００６６】
かかる第四実施形態では、内側から順に、バックプレート３２、エアバッグ２、帯状体４２、支持体４１、帯状体４２及びブラケット６１が積層され、バックプレート３２又はブラケット６１の一方からボルト４５が挿通され他方からナットが挿通され締結される。すなわち、帯状体４２は、ボルト４５及びナット（図示せず）により支持体４１に固定される。かかる構成によれば、支持体４１を樹脂製とした場合であっても、バックプレート３２及びブラケット６１を金属製とすることにより、支持体４１を挟持してボルト４５で固定することができる。
【００６７】
続いて、本発明の第五実施形態に係るエアバッグ装置１について、図８を参照しつつ説明する。ここで、図８は、本発明の第五実施形態に係るエアバッグ装置を示す図であり、（Ａ）は下面図、（Ｂ）は図８（Ａ）におけるＢ−Ｂ矢視断面図、を示している。なお、第一実施形態のエアバッグ装置１と同じ構成部品については、同じ符号を付して重複した説明を省略する。
【００６８】
図８（Ａ）及び（Ｂ）に示した第五実施形態は、バックプレート３２を省略したものである。具体的には、第一実施形態におけるバックプレート３２の位置にインフレータ３のフランジ部３１が配置されており、支持体４１とフランジ部３１との間でエアバッグ２を挟持して締結具３３で固定したものである。かかる構成によれば、支持体４１を金属製とした場合に、バックプレート３２を省略することができ、エアバッグ装置１の軽量化を図ることができる。
【００６９】
かかる五実施形態において、フランジ部３１は、例えば、図７（Ａ）に示したバックプレート３２と同様に、支持体４１と略相似形状の多角形を有し、両端部に支持体４１の帯状体用固定孔４１ｃと一致する帯状体用固定孔を形成するようにしてもよい。また、図７（Ｂ）に示したような拡張部６１ａを有するブラケット６１を使用することにより、支持体４１をフランジ部３１及びブラケット６１により挟持することができ、樹脂製の支持体４１を使用してボルト留めすることができる。
【００７０】
最後に、上述した支持体４１の変形例について、図９を参照しつつ説明する。ここで、図９は、支持体の変形例を示す平面図であり、（Ａ）は第一変形例、（Ｂ）は第二変形例、（Ｃ）は第三変形例、（Ｄ）は第四変形例、を示している。なお、上述した実施形態と同じ構成部品については、同じ符号を付して重複した説明を省略する。
【００７１】
図９（Ａ）に示した第一変形例は、支持体４１の外形を四角形としたものである。かかる構成によれば、支持体４１の外形をインナーケース５２の形状に沿った形状に形成することができ、支持体４１とインナーケース５２との隙間を容易に低減することができる。例えば、支持体４１を樹脂製とした場合には、支持体４１の面積を大きくしても従来技術におけるリテーナと比較すれば十分な軽量化を図ることができる。
【００７２】
かかる支持体４１の外形は、エアバッグ装置１の種類や型式、エアバッグ２の容量や内圧、支持体４１の支持重量、帯状体４２の素材や幅の大きさ、インナーケース５２の剛性等の条件によって変更することができ、上述した六角形や四角形等の多角形状に限定されるものではない。例えば、支持体４１の外形は、図９（Ｂ）に示した第二変形例のように長丸形状としてもよいし、図９（Ｃ）に示した第三変形例のように楕円形状としてもよいし、図９（Ｄ）に示した第四変形例のように十字形状（クロス形状）としてもよい。
【００７３】
上述した実施形態では、助手席用エアバッグ装置に本発明を適用した場合について説明したが、同様の構成を採用できるエアバッグ装置であれば、運転席用エアバッグ装置、サイドエアバッグ装置、カーテンエアバッグ装置、ニーエアバッグ装置、歩行者用エアバッグ装置等に適用するようにしてもよい。
【００７４】
本発明は上述した実施形態に限定されず、第一実施形態〜第五実施形態や支持体４１の変形例を適宜組み合わせて使用することができる等、本発明の趣旨を逸脱しない範囲で種々変更が可能であることは勿論である。
【符号の説明】
【００７５】
１…エアバッグ装置
２…エアバッグ
２ａ…インフレータ用開口部
２ｂ…インフレータ用固定孔
３…インフレータ
４…リテーナ
５…エアバッグカバー
６…車内構造物
３１…フランジ部
３２…バックプレート
３３…締結具
４１…支持体
４１ａ…インフレータ用開口部
４１ｂ…インフレータ用固定孔
４１ｃ…帯状体用固定孔
４２…帯状体
４２ａ…腕部
４２ｂ…脚部
４２ｃ…固定用孔
４２ｄ，４２ｆ…縫合部
４２ｅ…接着剤
４３…リベット
４４…フック
４５…ボルト
５１…板状部
５１ａ…テアライン
５１ｂ…扉部
５２…インナーケース
５２ａ…第一壁面
５２ｂ…第二壁面
５３…保持孔
５４…ヒンジ部
５５…係止孔
６１…ブラケット
６１ａ…拡張部
【図１】
0005633993.tif 000002
【図２】
0005633993.tif 000003
【図３】
0005633993.tif 000004
【図４】
0005633993.tif 000005
【図５】
0005633993.tif 000006
【図６】
0005633993.tif 000007
【図７】
0005633993.tif 000008
【図８】
0005633993.tif 000009
【図９】
0005633993.tif 000010